(57)【要約】  電池モジュール（１）は、電池内部で発生したガスを放出するための弁部（２４）を表面に有する電池（１２）と、電池（１２）の表面を覆うカバー部材（８）とを備える。カバー部材（８）は、薄肉部（４６）と、薄肉部（４６）に隣接する領域に設けられる厚肉部（４８）とを有し、薄肉部（４６）の厚みは厚肉部（４８）の厚みに比べて薄く形成される。
2018012224.tif 000002
【特許請求の範囲】
【請求項１】
電池内部で発生したガスを放出するための弁部を表面に有する電池と、
前記表面を覆うカバー部材と、
を備え、
前記カバー部材は、前記弁部に対応する位置に設けられる薄肉部と、前記薄肉部に隣接する領域に設けられる厚肉部とを有し、前記薄肉部の肉厚を前記厚肉部の肉厚に比べて薄くしたことを特徴とする電池モジュール。
【請求項２】
前記電池を複数積層して構成される電池積層体を備え、
前記カバー部材は、前記電池積層体の表面を覆い、
前記カバー部材の薄肉部は、前記複数の電池の各弁部に対応する位置に設けられている請求項１に記載の電池モジュール。
【請求項３】
前記表面と前記カバー部材との間に配置され、前記弁部に対応する位置に設けられる開口部、及び前記カバー部材の側に突出して前記開口部を囲う第１囲繞部を有する仕切り部材と、
前記仕切り部材と前記厚肉部との間に配置され、前記電池に接続される配線と、
をさらに備え、
前記第１囲繞部は、少なくとも一部が前記配線と前記弁部との間に位置する請求項１又は２に記載の電池モジュール。
【請求項４】
前記薄肉部は、前記第１囲繞部よりも厚さが薄い請求項３に記載の電池モジュール。
【請求項５】
前記表面と前記厚肉部との間に配置され、前記電池に接続される配線をさらに備え、
前記カバー部材は、前記表面の側に突出して前記薄肉部を囲う第２囲繞部を有し、
前記第２囲繞部は、少なくとも一部が前記配線と前記薄肉部との間に位置する請求項１又は２に記載の電池モジュール。
【請求項６】
前記薄肉部は、前記第２囲繞部よりも厚さが薄い請求項５に記載の電池モジュール。
【請求項７】
前記カバー部材は、前記表面の側に突出して前記薄肉部を囲う第２囲繞部を有し、
前記第１囲繞部と前記第２囲繞部とは、前記カバー部材の厚み方向に対して直交する方向から見て、互いに重なり合う請求項３又は４に記載の電池モジュール。
【請求項８】
前記電池積層体と前記カバー部材とを固定する締結部材を備え、
前記電池積層体は、前記締結部材が挿通される第１挿通孔を有し、
前記カバー部材は、相対的に前記表面に近い位置で延在する第１部分と相対的に前記表面から遠い位置で延在する第２部分とで構成される段差部と、前記第１部分に配置されて前記締結部材が挿通される第２挿通孔と、を有し、
前記締結部材は、前記第１挿通孔及び前記第２挿通孔に挿通されて、前記電池積層体と前記カバー部材とを固定することを特徴とする請求項２に記載の電池モジュール。
【請求項９】
積層された複数の電池を含む電池積層体と、
前記電池積層体の表面を覆うカバー部材と、
前記電池積層体と前記カバー部材とを固定する締結部材と、
を備え、
前記電池積層体は、前記締結部材が挿通される第１挿通孔を有し、
前記カバー部材は、相対的に前記表面に近い位置で延在する第１部分と相対的に前記表面から遠い位置で延在する第２部分とで構成される段差部と、前記第１部分に配置されて前記締結部材が挿通される第２挿通孔と、を有し、
前記締結部材は、前記第１挿通孔及び前記第２挿通孔に挿通されて、前記電池積層体と前記カバー部材とを固定することを特徴とする電池モジュール。
【請求項１０】
前記電池積層体は、前記カバー部材側に突出して前記カバー部材を支持する支持部を有し、
前記支持部は、前記カバー部材の前記電池積層体側を向く表面に沿って延在して当該表面に当接する第１屈曲部を有する請求項９に記載の電池モジュール。
【請求項１１】
前記カバー部材は、前記第１屈曲部の先端面に沿って延在して当該先端面に当接する第２屈曲部を有する請求項１０に記載の電池モジュール。
【請求項１２】
前記電池は、前記カバー部材と対向する表面に、出力端子と、電池内部で発生したガスを放出するための弁部と、を有し、
前記第１挿通孔及び前記第２挿通孔は、前記電池の積層方向から見て前記出力端子と前記弁部との間に配置される請求項９乃至１１のいずれか１項に記載の電池モジュール。
【請求項１３】
前記カバー部材は、前記弁部に対応する位置に設けられる薄肉部と、前記薄肉部に隣接する領域に前記薄肉部により肉厚を厚くして設けられる厚肉部と、を有する請求項１２に記載の電池モジュール。
【発明の詳細な説明】
【技術分野】
【０００１】
本発明は、電池モジュールに関する。
【背景技術】
【０００２】
例えば車両用等の、高い出力電圧が要求される電源として、複数個の電池が直列接続されてなる電池モジュールが知られている。通常この電池モジュールは、電池積層体の上面に、電池の出力端子やバスバー等を保護するためのカバーを備えている。特許文献１には、電池積層体の構成部品であるセパレータに係止フックを設け、係止フックの爪状の先端部にカバーを引っ掛けることで、電池積層体にカバーを固定する構造が開示されている。【０００３】
ところで、電池モジュールに用いられる電池には、電池内部で発生したガスの圧力が所定のしきい値を超えたときに、電池外部にガスを放出するための安全弁が設けられていた。電池内部からのガスの放出に関して、特許文献２には、複数の電池を覆うカバーを、電池のベント部を覆う脱気カバーと脱気カバー上部のカバープレートとで構成し、脱気カバーにカバープレートよりも剛性の低い部分を設けた構造が開示されている。特許文献２の技術では、ベント部から大量のガスが放出された場合に、剛性の低い脱気カバーを優先的に破裂させてガスの流れを制御していた。
【先行技術文献】
【特許文献】
【０００４】
【特許文献１】国際公開第１３／０３１６１３号パンフレット
【特許文献２】特開２０１３−８４５５８号公報
【発明の概要】
【発明が解決しようとする課題】
【０００５】
近年、電池モジュールには、さらなる高出力電圧が求められるようになってきた。この要求を満たすために、電池モジュールは積層される電池の数が増加する傾向にある。一方、電池モジュールは、使用中に電池が膨張する場合がある。電池の数が増えると、電池積層体全体での膨張量が増大する。電池積層体が大きく膨張すると、係止フックによるカバーの固定が不十分になって、電池モジュールの信頼性が低下するおそれがある。【０００６】
また、従来の電池モジュールには、安全性を向上させる余地があった。【０００７】
本発明はこうした状況に鑑みてなされたものであり、その目的は、電池モジュールの信頼性の低下を抑制するため、あるいは電池モジュールの安全性を向上させるための技術を提供することにある。
【課題を解決するための手段】
【０００８】
本発明のある態様は、電池モジュールである。当該電池モジュールは、電池内部で発生したガスを放出するための弁部を表面に有する電池と、表面を覆うカバー部材とを備える。カバー部材は、薄肉部と、薄肉部に隣接する領域に設けられる厚肉部とを有する。【０００９】
本発明の別のある態様の電池モジュールは、積層された複数の電池を含む電池積層体と、電池積層体の表面を覆うカバー部材と、電池積層体とカバー部材とを固定する締結部材と、を備える。電池積層体は、締結部材が挿通される第１挿通孔を有する。カバー部材は、相対的に電池積層体の表面に近い位置で延在する第１部分と相対的に電池積層体の表面から遠い位置で延在する第２部分とで構成される段差部と、第１部分に配置されて締結部材が挿通される第２挿通孔と、を有する。締結部材は、第１挿通孔及び第２挿通孔に挿通されて、電池積層体とカバー部材とを固定する。
【発明の効果】
【００１０】
本発明によれば、電池モジュールの安全性を向上させること、あるいは電池モジュールの信頼性の低下を抑制することができる。
【図面の簡単な説明】
【００１１】
【図１】実施の形態１に係る電池モジュールの概略構造を示す斜視図である。
【図２】電池積層体の概略構造を示す斜視図である。
【図３】電池の概略構造を示す斜視図である。
【図４】セパレータの概略構造を示す斜視図である。
【図５】カバー部材の概略構造を示す斜視図である。
【図６】電池モジュールの一部の概略構造を示す断面図である。
【図７】電池モジュールの概略構造を示す断面図である。
【図８】実施の形態２に係る電池モジュールの構成要素であるカバー部材の概略構造を示す斜視図である。
【図９】実施の形態２に係る電池モジュールの概略構造を示す断面図である。
【図１０】実施の形態３に係る電池モジュールの概略構造を示す斜視図である。
【図１１】電池積層体の概略構造を示す斜視図である。
【図１２】電池モジュールの一部の概略構造を示す断面図である。
【図１３】実施の形態４に係る電池モジュールが備える電池積層体の概略構造を示す斜視図である。
【図１４】バスバープレートの概略構造を示す斜視図である。
【図１５】実施の形態５に係る電池モジュールの一部の概略構造を示す断面図である。
【図１６】変形例に係る電池モジュールの概略構造を示す断面図である。
【発明を実施するための形態】
【００１２】
以下、本発明を好適な実施の形態をもとに図面を参照しながら説明する。実施の形態は、発明を限定するものではなく例示であって、実施の形態に記述されるすべての特徴やその組み合わせは、必ずしも発明の本質的なものであるとは限らない。各図面に示される同一または同等の構成要素、部材、処理には、同一の符号を付するものとし、適宜重複した説明は省略する。また、各図に示す各部の縮尺や形状は、説明を容易にするために便宜的に設定されており、特に言及がない限り限定的に解釈されるものではない。また、同一の部材であっても、各図面間で縮尺等が若干相違する場合もあり得る。また、本明細書または請求項中に用いられる「第１」、「第２」等の用語は、いかなる順序や重要度を表すものでもなく、ある構成と他の構成とを区別するためのものである。
【００１３】
（実施の形態１）
実施の形態１に係る電池モジュールの概要は次の通りである。すなわち、実施の形態１に係る電池モジュールは、電池内部で発生したガスを放出するための弁部を表面に有する電池と、電池の表面を覆うカバー部材とを備える。カバー部材は、弁部と対向する位置に設けられる薄肉部と、薄肉部に隣接する領域に設けられる厚肉部とを有する。
【００１４】
また、実施の形態１に係る電池モジュールは、電池の表面とカバー部材との間に配置される仕切り部材と、仕切り部材と厚肉部との間に配置されて電池に接続される配線とをさらに備える。仕切り部材は、弁部に対応する位置に設けられる開口部と、カバー部材の側に突出して開口部を囲う第１壁部とを有する。第１壁部は、少なくとも一部が配線と弁部との間に位置する。
【００１５】
また、実施の形態１に係る電池モジュールにおいて、薄肉部は、第１壁部よりも厚さが薄い。
【００１６】
図１は、実施の形態１に係る電池モジュールの概略構造を示す斜視図である。図２は、カバー部材を取り外した状態の電池モジュールを示す斜視図である。
【００１７】
電池モジュール１は、電池積層体２と、カバー部材８と、締結部材５２とを備える。電池積層体２は、複数の電池１２と、複数のセパレータ１４と、一対のエンドプレート４と、一対の拘束部材６とを備える。本実施の形態では、一例として８個の電池１２がバスバー（図示せず）により直列に接続されて、電池積層体２が形成されている。
【００１８】
各電池１２は、例えば、リチウムイオン電池、ニッケル−水素電池、ニッケル−カドミウム電池等の充電可能な二次電池である。電池１２は、いわゆる角形電池である。複数の電池１２は、隣り合う電池１２の主表面同士が対向するようにして所定の間隔で積層される。なお、「積層」は、任意の１方向に複数の部材を並べることを意味する。したがって、電池１２の積層には、複数の電池１２を水平方向に並べることも含まれる。
【００１９】
隣接する２つの電池１２は、一方の電池１２の正極の出力端子２２（正極端子２２ａ）と他方の電池１２の負極の出力端子２２（負極端子２２ｂ）とが隣り合うように配列される。以下では、出力端子２２の極性を区別する必要がない場合、正極端子２２ａと負極端子２２ｂとをまとめて出力端子２２と称する。隣り合う正極端子２２ａと負極端子２２ｂとは、バスバーを介して電気的に直列に接続される。バスバーは、例えば帯状の金属板である。バスバーの一端側は一方の電池１２の正極端子２２ａに、バスバーの他端側は他方の電池１２の負極端子２２ｂに電気的に接続される。
【００２０】
複数のセパレータ１４は、絶縁スペーサとも呼ばれ、例えば絶縁性を有する樹脂からなる。セパレータ１４は、各電池１２の間、及び電池１２とエンドプレート４との間に配置される。
【００２１】
積層された複数の電池１２及び複数のセパレータ１４は、一対のエンドプレート４で挟まれる。一対のエンドプレート４は、電池１２の積層方向Ｘ（図１及び図２における矢印Ｘで示す方向）における最外側の電池１２と、セパレータ１４を介して隣り合うように配置される。エンドプレート４は、例えば金属板からなり、セパレータ１４を介して電池１２と隣り合うことで、電池１２に対して絶縁される。エンドプレート４の主表面には、締結ねじ１６が螺合するねじ穴（図示せず）が設けられる。
【００２２】
一対の拘束部材６は、電池１２の積層方向Ｘに対して垂直な方向Ｙ（図１及び図２における矢印Ｙで示す方向）に配列される。一対の拘束部材６の間には、複数の電池１２、複数のセパレータ１４及び一対のエンドプレート４からなる集合体が配置される。拘束部材６は、集合体の側面に平行な矩形状の平面部６ａと、平面部６ａの各辺の端部から集合体側に突出する庇部６ｂとを有する。拘束部材６は、例えば矩形状の金属板の各辺に折り曲げ加工を施すことで形成することができる。電池１２の積層方向Ｘにおいて対向する２つの庇部６ｂには、締結ねじ１６が挿通される貫通孔（図示せず）が設けられる。平面部６ａには、集合体の側面を露出させる開口部６ｄが設けられる。開口部６ｄは、電池１２の積層方向Ｘの外力に対する拘束部材６の剛性に極力影響しないよう配置されることが好ましい。これにより、拘束部材６の剛性を維持しながら、拘束部材６の軽量化を図ることができる。なお、拘束部材６には、必要に応じて複数の開口部を設けてもよい。
【００２３】
カバー部材８は、トップカバーとも呼ばれ、電池積層体２における電池１２の出力端子２２が突出する側の表面を覆うように配置される。カバー部材８により、電池１２の出力端子２２、バスバー、後述する弁部２４等への結露水や塵埃等の接触が防止される。また、カバー部材８は、電池モジュール１の外郭の一部を構成する部材である。
【００２４】
締結部材５２は、電池積層体２とカバー部材８とを固定するための部材である。本実施の形態の締結部材５２は、一例として締結ねじである。締結部材５２による電池積層体２とカバー部材８との固定については、後に詳細に説明する。
【００２５】
電池モジュール１は、例えば以下のようにして組み立てられる。すなわち、まず複数の電池１２と複数のセパレータ１４とが交互に配列され、これらが一対のエンドプレート４で挟まれて集合体が形成される。そして、この集合体に、一対の拘束部材６が取り付けられる。集合体の一部は、各拘束部材６における４つの庇部６ｂで囲まれる空間に進入する（図７参照）。また、各拘束部材６は、貫通孔がエンドプレート４のねじ穴と重なるように位置合わせされる。この状態で、締結ねじ１６が貫通孔に挿通され、またねじ穴に螺合される。この結果、複数の電池１２と複数のセパレータ１４とが一対のエンドプレート４と一対の拘束部材６とによって締結される。
【００２６】
複数の電池１２は、拘束部材６によって電池１２の積層方向Ｘに締め付けられることで、積層方向Ｘの位置決めがなされる。また、複数の電池１２は、底面がセパレータ１４を介して拘束部材６の下側の庇部６ｂに当接し、上面がセパレータ１４を介して拘束部材６の上側の庇部６ｂに当接することで、上下方向の位置決めがなされる（図７参照）。この状態で、各電池１２の出力端子２２にバスバーが電気的に接続されて、電池積層体２が得られる。その後、カバー部材８が電池積層体２の上面に取り付けられ、締結部材５２によって固定される。以上の工程により、電池モジュール１が得られる。
【００２７】
続いて、電池１２、セパレータ１４及びカバー部材８の構造と、電池積層体２及びカバー部材８の固定構造とを詳細に説明する。図３は、電池１２の概略構造を示す斜視図である。電池１２は、扁平な直方体形状の外装缶１８を有する。外装缶１８の一面には略長方形状の開口が設けられ、この開口を介して外装缶１８に電極体や電解液等が収容される。外装缶１８の開口には、外装缶１８の内部を封止する封口板２０が設けられる。封口板２０には、長手方向の一端寄りに正極端子２２ａ（正極の出力端子２２）が設けられ、他端寄りに負極端子２２ｂ（負極の出力端子２２）が設けられる。封口板２０と出力端子２２とで封口体が構成される。外装缶１８及び封口板２０は、金属で形成される。典型的には、外装缶１８及び封口板２０は、アルミニウムやアルミニウム合金等で形成される。出力端子２２は、導電性を有する金属で形成される。
【００２８】
本実施の形態では、封口体が設けられる側を電池１２の上面ｎ、反対側を電池１２の底面とする。また、電池１２は、上面ｎ及び底面をつなぐ２つの主表面を有する。この主表面は、電池１２が有する６つの面のうち面積の最も大きい面である。上面ｎ、底面及び２つの主表面を除いた残り２つの面は、電池１２の側面とする。電池１２の上面側を電池積層体２の上面とし、電池１２の底面側を電池積層体２の底面とする。
【００２９】
電池１２は、電池１２内部で発生したガスを放出するための弁部２４を表面に有する。本実施の形態では、電池１２は、カバー部材８と対向する上面ｎに弁部２４を有する。弁部２４は、封口板２０における一対の出力端子２２の間に設けられる。より具体的には、弁部２４は、封口板２０の長手方向の略中央に配置される。弁部２４は、外装缶１８の内圧が所定値以上に上昇した際に開弁して、内部のガスを放出できるように構成される。弁部２４は、安全弁あるいはベント部とも呼ばれる。
【００３０】
複数の電池１２は、隣り合う電池１２の主表面同士が対向し、且つ出力端子２２が同じ方向（ここでは便宜上、鉛直方向上方とする）を向くように配置される。また、隣接する２つの電池１２は、上述のように一方の正極端子２２ａと他方の負極端子２２ｂとが隣り合うように配列される。なお、隣接する２つの電池１２は、一方の正極端子２２ａと他方の正極端子２２ａとが隣り合うように配列されてもよい。例えば、隣接する２つの電池１２を並列に接続する場合には、同じ極性の出力端子２２が隣接するように電池１２が配列される。正極端子２２ａと負極端子２２ｂとは、バスバーを介して電気的に接続される。
【００３１】
図４は、セパレータ１４の概略構造を示す斜視図である。セパレータ１４は、電池１２の主表面に平行な平面部１４ａと、平面部１４ａの周端部から電池１２の積層方向Ｘに延在する壁部１４ｂとを有する。平面部１４ａが隣り合う電池１２の主表面間に延在することで、隣り合う電池１２の外装缶１８同士が絶縁される。また、平面部１４ａが電池１２とエンドプレート４との間に延在することで、電池１２の外装缶１８とエンドプレート４とが絶縁される。
【００３２】
また、壁部１４ｂによって、電池１２の上面ｎ、底面及び側面が覆われる。これにより、電池１２又はエンドプレート４の表面での結露等が原因で生じ得る、隣り合う電池１２間あるいは電池１２とエンドプレート４との間の短絡を、抑制することができる。すなわち、壁部１４ｂによって、隣り合う電池１２間あるいは電池１２とエンドプレート４との間の沿面距離を確保することができる。特に、壁部１４ｂが電池１２の上面ｎを覆うことで、上述した短絡をより抑制することができる。本実施の形態では、隣り合う２つのセパレータ１４における一方の壁部１４ｂの先端が他方の壁部１４ｂの先端に当接する。したがって、電池１２は、平面部１４ａと壁部１４ｂとで形成される空間に収容される。本実施の形態において、セパレータ１４は、壁部１４ｂを介して電池１２を保持している。
【００３３】
電池１２の上面ｎを覆う壁部１４ｂは、出力端子２２に対応する位置に、出力端子２２が外部に露出するよう切り欠き２６を有する。また、電池１２の上面ｎを覆う壁部１４ｂは、弁部２４に対応する位置に、弁部２４が外部に露出するよう開口部２８を有する。開口部２８の周端部には、壁部１４ｂの表面からカバー部材８の側に突出する第１囲繞部３０が設けられる。また、電池１２の側面を覆う壁部１４ｂは、拘束部材６の開口部６ｄに対応する位置に、電池１２の側面を露出させる切り欠き３２を有する。電池モジュール１が組み立てられた状態で、壁部１４ｂは、拘束部材６と電池１２の間に位置する（図７を参照）。これにより、拘束部材６と電池１２の接触を防止することができる。
【００３４】
また、セパレータ１４は、電池モジュール１が組み立てられた状態で、カバー部材８側に突出してカバー部材８を支持する支持部５４を有する。支持部５４は、電池１２の上面ｎを覆う壁部１４ｂに設けられる。本実施の形態では、支持部５４は切り欠き２６の両端部に設けられている。切り欠き２６を挟んで積層方向Ｘに対して直交する方向Ｙに並ぶ一対の支持部５４は、バスバーの設置位置を規定している。バスバーは、一対の支持部５４の間に配置される。また、電池積層体２の外側寄りの支持部５４は、電池モジュール１が組み立てられた状態で、カバー部材８の電池積層体２側を向く表面（図５で示される裏面８ａ）に沿って延在して当該表面に当接する第１屈曲部６８を有する。第１屈曲部６８は、支持部５４の先端に設けられる。
【００３５】
また、一部のセパレータ１４は、締結部材５２が挿通される第１挿通孔５６（図２参照）を有する。本実施の形態では、各エンドプレート４に接する２つのセパレータ１４に、第１挿通孔５６が設けられている。第１挿通孔５６は、各セパレータ１４に２つ設けられる。各セパレータ１４において、２つの第１挿通孔５６は、積層方向Ｘに対して直交する方向Ｙに間隔を開けて配置される。第１挿通孔５６は、壁部１４ｂに設けられる貫通孔７６（図６参照）と、貫通孔７６の周端部からカバー部材８の側に突出する第２囲繞部７０（図６参照）とで構成される。第１挿通孔５６の内壁には、締結部材５２の螺溝に対応する螺溝（図示せず）が設けられる。
【００３６】
図５は、カバー部材８の概略構造を示す斜視図である。図５では、カバー部材８の電池１２側を向く主表面（ここでは便宜上、裏面とする）側を図示している。図６は、電池モジュール１の一部の概略構造を示す断面図である。図６では、第１挿通孔５６及び第２挿通孔６０を通り、積層方向Ｘに対して直交する方向Ｙに延在する断面を図示している。また、図６では、電池１２の内部構造の図示を省略している。
【００３７】
カバー部材８は、板状の部材であり、電池積層体２の上面の形状と整合するように構成されている。これにより、カバー部材８と電池積層体２との間に形成される空間に、塵埃等が入り込むことを防止することができる。本実施の形態では、カバー部材８は矩形状である。カバー部材８は、例えば絶縁性を有する樹脂からなる。カバー部材８を構成する樹脂としては、ポリプロピレン（ＰＰ）やポリブチレンテレフタレート（ＰＢＴ）等の熱可塑性樹脂が例示される。
【００３８】
カバー部材８の裏面８ａには、電池１２の弁部２４に対応する位置に凹部３４が設けられる。凹部３４は、板の厚さ方向に凹む形状を有する。したがって、カバー部材８は、凹部３４においてカバー部材８の厚み方向Ｚ（図７における矢印Ｚで示す方向）の厚さが薄くなっている。すなわち、凹部３４は、カバー部材８の他の部分より肉厚の薄い薄肉部４６を構成する。また、凹部３４に隣接する領域は、厚肉部４８を構成する。厚肉部４８は、薄肉部４６よりも厚み方向Ｚの厚さが大きい。カバー部材８は、薄肉部４６の厚さが例えば０．５〜１．０ｍｍであり、他の部分の厚さ、すなわち厚肉部４８の厚さが例えば１．０〜２．０ｍｍである。また、カバー部材８は、電池積層体２側に突出する一対の脚部３８を有する。一対の脚部３８は、一対のエンドプレート４に近接する２辺に設けられる。
【００３９】
また、カバー部材８は、段差部５８と、第２挿通孔６０とを有する。段差部５８は、相対的に電池１２の上面ｎ（電池積層体２の表面）に近い位置で延在する第１部分６２と、相対的に上面ｎから遠い位置で延在する第２部分６４とで構成される。第２部分６４は、カバー部材８の主要部、すなわち厚肉部４８の一部である。第１部分６２と第２部分６４とは、厚肉部４８の延在方向に対して交わる方向（おおよそカバー部材８の厚み方向Ｚ）に延在する第３部分６６で接続されている。
【００４０】
本実施の形態では、第１部分６２の全周が第３部分６６及び第２部分６４で囲われている。すなわち、段差部５８は、カバー部材８の一部が電池積層体２の側に凹んだ形状、すなわち凹部で構成される。したがって、第１部分６２は凹部の底面であり、第３部分６６は凹部の側面である。
【００４１】
第２挿通孔６０は、締結部材５２が挿通される孔であり、第１部分６２に配置される。第２挿通孔６０は、電池モジュール１が組み立てられた状態で、電池積層体２とカバー部材８の積層方向Ｚにおいて第１挿通孔５６と重なるように配置される。また、第１挿通孔５６及び第２挿通孔６０は、電池１２の積層方向Ｘから見て、言い換えれば方向Ｙにおいて、出力端子２２と弁部２４との間に配置される。
【００４２】
そして、締結部材５２が第２挿通孔６０に挿通され、さらに第１挿通孔５６に挿通されて、第１挿通孔５６に螺合される。これにより、電池積層体２とカバー部材８とが固定される。カバー部材８が電池積層体２に固定された状態で、支持部５４がカバー部材８の裏面８ａに当接する。また、第１屈曲部６８は、カバー部材８の裏面８ａに対して平行に延在する面が裏面８ａに当接する。第１屈曲部６８は、カバー部材８の端部に当接する。また、セパレータ１４の第２囲繞部７０は、カバー部材８が電池積層体２に固定された状態で、先端が第１部分６２に当接する。したがって、支持部５４、第１屈曲部６８及び第２囲繞部７０は、積層方向Ｚにおけるカバー部材８の位置を定めている。
【００４３】
続いて、電池モジュール１のガス放出構造について詳細に説明する。図７は、電池モジュール１の概略構造を示す断面図である。なお、図７では、任意の１つの電池１２における２つの出力端子２２と弁部２４とを通る断面の構造を図示している。また、図７では、電池１２の内部構造の図示を省略している。
【００４４】
上述のように、電池１２は、電池内部で発生したガスを放出するための弁部２４を上面ｎに有する。また、電池１２の上面ｎを覆うカバー部材８は、その厚さ方向に、言い換えればカバー部材８の厚み方向Ｚ（図７における矢印Ｚで示す方向）に凹む凹部３４を有する。また、電池モジュール１は、電池１２の上面ｎとカバー部材８との間に収容空間４０を有する。収容空間４０には、電池１２に接続される配線５０や配線基板等（図示せず）が収容される。例えば、収容空間４０には、電圧測定等を目的として各電池１２に接続される複数の配線５０が収容される。したがって、配線５０は、電池１２の上面ｎ、あるいは後述する仕切り部材と、厚肉部４８との間に配置される。一般に複数の配線５０は、束ねられて収容空間４０に収容される。また、各配線５０は、絶縁カバーで被覆されて互いに絶縁されている。
【００４５】
収容空間４０は、カバー部材８の厚み方向Ｚから見て、弁部２４と重ならないように配置される。これにより、収容空間４０を、弁部２４から放出されるガスの流路と干渉しない位置に配置することができる。一方、カバー部材８の凹部３４は、厚み方向Ｚから見て、少なくとも一部が弁部２４と重なるように配置される。言い換えれば、薄肉部４６は、弁部２４と対向する位置に設けられる。
【００４６】
すなわち、凹部３４と弁部２４とは、凹部３４の延在範囲Ｗ１の少なくとも一部と弁部２４の延在範囲Ｗ２の少なくとも一部とが、厚み方向Ｚから見て重なるように配置される。さらに言い換えれば、凹部３４と弁部２４とは、厚み方向Ｚに対して直交する平面に投影したとき、それぞれの投影像の少なくとも一部同士が重なる。
【００４７】
凹部３４は、カバー部材８の厚み方向Ｚから見て、凹部３４の中心Ｐ１が弁部２４の延在範囲Ｗ２と重なるように配置されることがより好ましく、凹部３４の中心Ｐ１と弁部２４の中心Ｐ２とが重なるように配置されることがさらに好ましい。凹部３４の中心Ｐ１とは、例えば、厚み方向Ｚから見たときの凹部３４の平面形状の幾何学的重心である。弁部２４の中心Ｐ２についても同様に定義することができる。また、凹部３４は、厚み方向Ｚから見て弁部２４全体が凹部３４の延在範囲Ｗ１に収まるように配置されることが好ましい。
【００４８】
また、電池モジュール１は、電池１２の上面ｎとカバー部材８との間に仕切り部材を有する。仕切り部材は、絶縁プレートとも呼ばれ、例えば絶縁性を有する樹脂からなる。本実施の形態では、セパレータ１４の壁部１４ｂが仕切り部材として機能する。仕切り部材としての壁部１４ｂは、カバー部材８とともに収容空間４０を形成する。仕切り部材としての壁部１４ｂは、弁部２４に対応する位置に開口部２８を有する。開口部２８は、積層方向Ａから見て、弁部２４全体が開口部２８の延在範囲Ｗ３に収まるように配置されることが好ましい。また、開口部２８は、厚み方向Ｚから見て、全体が凹部３４の延在範囲Ｗ１に収まるように配置されることが好ましい。
【００４９】
電池１２の内部で発生したガスの圧力が所定値を超えると、弁部２４からガスが放出される。弁部２４から放出されたガスは、壁部１４ｂの開口部２８を介して、弁部２４とカバー部材８との間の空間４２に進出する。弁部２４からのガスの放出が続き、空間４２の圧力が所定値を超えると、カバー部材８が凹部３４、すなわち薄肉部４６において破裂し、弁部２４の上方に開口が形成される。空間４２に溜まったガスは、カバー部材８の開口から電池モジュール１の外部に放出される。このように、弁部２４から放出されたガスを、弁部２４の上方に位置するカバー部材８の開口から放出させることで、ガスが収容空間４０に流入することを抑制することができる。
【００５０】
また、仕切り部材としての壁部１４ｂは、カバー部材８の側に突出して弁部２４の周囲を囲う第１囲繞部３０を有する。第１囲繞部３０は、厚み方向Ｚから見て弁部２４の周囲を囲っている。また、第１囲繞部３０は、開口部２８を囲っている。したがって、第１囲繞部３０は、厚み方向Ｚに対して直交する方向Ｙ（図７における矢印Ｙで示す方向）において、少なくとも一部が配線５０と弁部２４との間に位置する。第１囲繞部３０を設けることで、弁部２４から放出されたガスを空間４２に留まらせることができ、収容空間４０へのガスの流入をより確実に抑制することができる。なお、好ましくは第１囲繞部３０の先端は、凹部３４内に進入する。薄肉部４６は、第１囲繞部３０よりも厚さが薄い。
【００５１】
以上説明したように、本実施の形態に係る電池モジュール１は、電池１２の上面ｎを覆うカバー部材８と、電池１２の上面ｎとカバー部材８との間に配置される、配線等の収容空間４０を有する。カバー部材８は、厚み方向Ｚに凹む凹部３４を有する。凹部３４は、厚み方向Ｚから見て、少なくとも一部が電池１２の弁部２４と重なるように配置される。あるいは、カバー部材８は、弁部２４と対向する位置に設けられる薄肉部４６と、薄肉部４６に隣接する領域に設けられる厚肉部４８とを有する。
【００５２】
このような構成において、電池１２の弁部２４から電池内部で発生したガスが放出されると、弁部２４と凹部３４との間の空間４２の圧力が上昇する。カバー部材８は、凹部３４において肉厚が薄くなっているため、すなわち薄肉部４６を有するため、空間４２の圧力が上昇すると凹部３４の設けられた部分、すなわち薄肉部４６が優先的に破裂する。その結果、空間４２内のガスは、カバー部材８の裂け目から電池モジュール１の外部に放出される。これにより、弁部２４から放出されたガスが、配線５０等の収容空間４０に流入することを抑制することができる。よって、収容空間４０へのガスの流入量を低減することができる。
【００５３】
弁部２４から放出されるガスは高温である。このため、ガスが収容空間４０に流入すると、配線５０の絶縁カバーが溶けてしまうおそれがある。絶縁カバーが溶けると、配線５０を介して電池１２同士がショートするおそれがある。したがって、収容空間４０へのガスの流入を抑制することが望まれる。また、バスバーや出力端子２２を保護する観点からも、収容空間４０側へのガスの移動を抑制することが望まれる。
【００５４】
これに対し、本実施の形態の電池モジュール１によれば、カバー部材８における弁部２４のガス放出方向と交わる部分を優先的に破裂させることで、収容空間４０へのガスの流入を抑制することができる。これにより、電池モジュール１の上部に配置される部品、すなわち、バスバー、出力端子２２、収容空間４０内の配線５０等を、高温ガスから保護することができる。一方、通常の状態では、弁部２４は絶縁性のカバー部材８で覆われているため、結露水や塵埃などが封口体と接触することを防止することができる。したがって、電池モジュール１の安全性を向上させることができる。
【００５５】
また、電池モジュール１は、電池１２の上面ｎとカバー部材８との間に設けられて、カバー部材８とともに収容空間４０を画成する、仕切り部材としての壁部１４ｂを有する。壁部１４ｂを設けることで、収容空間４０に収容される配線５０等と電池１２とをより確実に絶縁することができる。また、セパレータ１４の一部を仕切り部材として機能させることで、部品点数の増加と電池モジュール１の大型化とを抑制することができる。
【００５６】
また、壁部１４ｂは、カバー部材８の側に突出して弁部２４の周囲を囲う、あるいは弁部２４に対応する位置に設けられる開口部２８を囲う、第１囲繞部３０を有する。したがって、第１囲繞部３０は、厚み方向Ｚに対して直交する方向Ｙにおいて、少なくとも一部が配線５０と弁部２４との間に位置する。第１囲繞部３０を設けることで、弁部２４から放出されたガスを空間４２に留まらせることができ、収容空間４０へのガスの流入をより確実に抑制することができる。このため、電池モジュール１の安全性をより向上させることができる。また、第１囲繞部３０の先端は、凹部３４に進入している。これにより、第１囲繞部３０を設けることによる電池モジュール１の大型化を抑制することができる。また、薄肉部４６は、第１囲繞部３０よりも厚さが薄い。これにより、薄肉部４６をより確実に破裂させることができる。
【００５７】
また、本実施の形態に係る電池モジュール１は、電池積層体２と、カバー部材８と、電池積層体２とカバー部材８とを固定する締結部材５２とを備える。電池積層体２は、セパレータ１４に第１挿通孔５６を有する。カバー部材８は、第２部分６４よりも電池積層体２の表面に近い第１部分６２と、第１部分６２よりも電池積層体２の表面から遠い第２部分６４とで構成される段差部５８を有する。また、カバー部材８は、第１部分６２に配置される第２挿通孔６０を有する。締結部材５２は、第２挿通孔６０及び第１挿通孔５６に挿通されて、電池積層体２とカバー部材８とを固定する。
【００５８】
このように、本実施の形態では締結部材５２により電池積層体２とカバー部材８とを固定しているため、各電池１２の膨張により電池積層体２が膨張した場合であっても、電池積層体２とカバー部材８との固定が不十分になることを抑制することができる。このため、電池モジュール１の信頼性の低下を抑制することができる。
【００５９】
また、電池積層体２が膨張すると、電池積層体２とカバー部材８の固定位置、すなわち第１挿通孔５６及び第２挿通孔６０の位置は、電池積層体２の膨張方向に変位する。電池積層体２は、主に電池１２の積層方向Ｘに膨張する。これに対し、カバー部材８は、段差部５８の下段にあたる第１部分６２に第２挿通孔６０を有するため、第３部分６６の傾きの変化によって当該変位に追従することができる。すなわち、カバー部材８は、段差部５８によって電池積層体２の寸法の変化を吸収することができる。よって、電池積層体２の膨張によってカバー部材８にかかる応力を軽減し、カバー部材８の破損を抑制することができる。これにより、電池モジュール１の信頼性の低下を抑制することができる。
【００６０】
また、段差部５８の下段にあたる第１部分６２に第２挿通孔６０を設けているため、締結部材５２における第２部分６４よりも上方に突出する部分の高さを低くする、あるいは突出する部分をなくすことができる。これにより、電池モジュール１の小型化（低背化）が可能である。また、第１挿通孔５６及び第２挿通孔６０は、電池１２の積層方向Ｘから見て、出力端子２２と弁部２４との間に配置される。これにより、第１部分６２と第２部分６４との高さの差が確保しやすくなる。したがって、カバー部材８と電池積層体２との間の距離を離すことなく、締結部材５２の収容空間を確保することができる。よって、電池モジュール１をより確実に小型化することができる。
【００６１】
さらに、締結部材５２の第２部分６４から上方への突出を段差部５８で吸収して電池モジュール１の低背化を実現しているため、低背化を目的とした電池積層体２とカバー部材８との近接配置を回避することができる。よって、電池積層体２とカバー部材８との距離を確保することができる。したがって、弁部２４の上方の空間４２、言い換えればガスダクトの容積を確保することができる。
【００６２】
また、電池積層体２は、支持部５４をセパレータ１４に有する。そして、支持部５４は、カバー部材８の裏面８ａに沿って延在して裏面８ａに当接する第１屈曲部６８を有する。これにより、カバー部材８と電池積層体２との接触面積を増やすことができる。このため、電池積層体２とカバー部材８との間の空間へ塵埃等が入り込むことをより抑制することができる。
【００６３】
（実施の形態２）
実施の形態２に係る電池モジュールの概要は次の通りである。すなわち、実施の形態２に係る電池モジュールにおいて、カバー部材は、電池の表面の側に突出して薄肉部を囲う第２囲繞部を有する。第２囲繞部は、少なくとも一部が配線と薄肉部との間に位置する。
【００６４】
また、実施の形態２に係る電池モジュールにおいて、薄肉部は、第２囲繞部よりも厚さが薄い。
【００６５】
また、実施の形態２に係る電池モジュールにおいて、第１囲繞部と第２囲繞部とは、カバー部材の厚み方向に対して直交する方向から見て、互いに重なり合う。
【００６６】
実施の形態２に係る電池モジュールは、カバー部材の形状が異なる点を除き、実施の形態１と共通の構成を有する。以下、本実施の形態に係る電池モジュールについて実施の形態１と異なる構成を中心に説明し、共通する構成については簡単に説明するか、あるいは説明を省略する。図８は、実施の形態２に係る電池モジュールの構成要素であるカバー部材の概略構造を示す斜視図である。図８では、カバー部材の裏面側を図示している。
【００６７】
本実施の形態に係る電池モジュール２００が備えるカバー部材２０８は、第２囲繞部２４４を備える点を除き、実施の形態１のカバー部材８と同一の構成を有する。すなわち、カバー部材２０８は、板状の部材であり、電池積層体２の上面に合わせた形状を有する。カバー部材２０８の裏面２０８ａには、電池１２の弁部２４に対応する位置に凹部２３４が設けられる。凹部２３４は、薄肉部２４６を構成する。また、凹部２３４に隣接する領域は、厚肉部２４８を構成する。カバー部材２０８の寸法は、カバー部材８と同様である。
【００６８】
また、カバー部材２０８は、電池積層体２側に突出する一対の脚部２３８を有する。カバー部材２０８は、電池積層体２の上面の形状と整合するように構成されている。これにより、カバー部材２０８と電池積層体２の上面の間に形成される空間に、塵埃等が入り込むことを防止することができる。
【００６９】
また、カバー部材２０８は、一対の脚部２３８でセパレータ１４の上部を挟み込むことで電池積層体２に固定される構造であってもよい。さらに、カバー部材２０８は、電池１２の上面ｎの側に突出して弁部２４の周囲を囲う第２囲繞部２４４を有する。第２囲繞部２４４は、厚み方向Ｚ（図９における矢印Ｚで示す方向）から見て、弁部２４の周囲を囲っている。また、第２囲繞部２４４は、薄肉部２４６を囲っている。
【００７０】
続いて、電池モジュール２００のガス放出構造について詳細に説明する。図９は、実施の形態２に係る電池モジュール２００の概略構造を示す断面図である。なお、図９では、任意の１つの電池１２における２つの出力端子２２と弁部２４とを通る断面の構造を図示している。また、図９では、電池１２の内部構造の図示を省略している。
【００７１】
電池１２は、弁部２４を上面ｎに有する。また、カバー部材２０８は、厚み方向Ｚに凹む凹部２３４を有する。また、電池モジュール２００は、電池１２の上面ｎとカバー部材２０８との間に収容空間４０を有する。収容空間４０は、厚み方向Ｚから見て、弁部２４と重ならないように配置される。収容空間４０には、配線５０等が収容される。したがって、配線５０は、電池１２の上面ｎあるいは仕切り部材と、厚肉部２４８との間に配置される。一方、カバー部材２０８の凹部２３４は、厚み方向Ｚから見て、少なくとも一部が弁部２４と重なるように配置される。すなわち、凹部２３４と弁部２４とは、凹部２３４の延在範囲Ｗ１の少なくとも一部と弁部２４の延在範囲Ｗ２の少なくとも一部とが、厚み方向Ｚから見て重なるように配置される。
【００７２】
凹部２３４は、厚み方向Ｚから見て、凹部２３４の中心Ｐ１が弁部２４の延在範囲Ｗ２と重なるように配置されることがより好ましく、凹部２３４の中心Ｐ１と弁部２４の中心Ｐ２とが重なるように配置されることがさらに好ましい。また、凹部２３４は、厚み方向Ｚから見て弁部２４全体が凹部２３４の延在範囲Ｗ１に収まるように配置されることが好ましい。
【００７３】
また、電池モジュール２００は、電池１２の上面ｎとカバー部材２０８との間に仕切り部材としての壁部１４ｂを有する。壁部１４ｂは、カバー部材８とともに収容空間４０を形成する。また、壁部１４ｂは、弁部２４に対応する位置に開口部２８を有する。開口部２８は、厚み方向Ｚから見て、弁部２４全体が開口部２８の延在範囲Ｗ３に収まるように配置されることが好ましい。また、開口部２８は、厚み方向Ｚから見て、全体が凹部２３４の延在範囲Ｗ１に収まるように配置されることが好ましい。弁部２４からガスが放出されると、カバー部材２０８が凹部２３４、すなわち薄肉部２４６において破裂し、弁部２４の上方に開口が形成される。ガスは、カバー部材２０８の開口から電池モジュール２００の外部に放出される。
【００７４】
また、開口部２８の周端部には、カバー部材８の側に突出する第１囲繞部３０が設けられる。第１囲繞部３０は、厚み方向Ｚに対して直交する方向Ｙ（図９における矢印Ｙで示す方向）において、少なくとも一部が配線５０と弁部２４との間に位置する。第１囲繞部３０によって、弁部２４から放出されたガスが収容空間４０へ流入することを抑制することができる。また、薄肉部２４６の周端部には、電池１２の上面ｎ側に突出する第２囲繞部２４４が設けられる。第２囲繞部２４４は、厚み方向Ｚに対して直交する方向Ｙにおいて、少なくとも一部が配線５０と薄肉部２４６との間に位置する。第２囲繞部２４４によっても、弁部２４から放出されたガスが収容空間４０へ流入することを抑制することができる。また、薄肉部２４６は、第１囲繞部３０よりも厚さが薄く、また第２囲繞部２４４よりも厚さが薄い。
【００７５】
第１囲繞部３０と第２囲繞部２４４とは、厚み方向Ｚに対して直交する方向Ｙから見て、互いに重なり合う。本実施の形態では、第１囲繞部３０の外側に第２囲繞部２４４が配置され、第１囲繞部３０の先端が凹部２３４に進入し、第２囲繞部２４４の先端が壁部１４ｂの表面に当接している。第１囲繞部３０と第２囲繞部２４４とを重ね合わせてラビリンス構造を形成することで、収容空間４０へのガスの流入をより確実に抑制することができる。
【００７６】
本実施の形態に係る電池モジュール２００によっても、実施の形態１と同様に電池モジュール２００の安全性を向上させることができる。また、その他の効果についても同様に奏することができる。
【００７７】
また、本実施の形態では、カバー部材２０８が第２囲繞部２４４を有する。これにより、弁部２４から放出されたガスが収容空間４０に流入することをより確実に抑制することができる。このため、電池モジュール２００の安全性をより向上させることができる。また、薄肉部２４６は、第２囲繞部２４４よりも厚さが薄い。これにより、薄肉部２４６をより確実に破裂させることができる。さらに、第１囲繞部３０と第２囲繞部２４４とは、積層方向Ａに対して直交する方向Ｂ、すなわち弁部２４と収容空間４０とが並ぶ方向から見て、互いに重なり合っている。これにより、弁部２４から放出されたガスが収容空間４０に流入することをより一層抑制することができる。このため、電池モジュール２００の安全性をより一層向上させることができる。
【００７８】
（実施の形態３）
実施の形態３に係る電池モジュールは、第１挿通孔の位置と段差部の形状とが異なる点を除き、実施の形態１と共通の構成を有する。以下、本実施の形態に係る電池モジュールについて実施の形態１と異なる構成を中心に説明し、共通する構成については簡単に説明するか、あるいは説明を省略する。図１０は、実施の形態３に係る電池モジュールの概略構造を示す斜視図である。図１１は、電池積層体の概略構造を示す斜視図である。図１２は、電池モジュールの一部の概略構造を示す断面図である。図１２では、第１挿通孔及び第２挿通孔を通り、電池１２の積層方向Ｘに延在する断面を図示している。また、図１２では、電池１２の内部構造の図示を省略している。
【００７９】
本実施の形態に係る電池モジュール２０１の電池積層体２０２は、各エンドプレート２０４に、締結部材５２が挿通される第１挿通孔２５６を有する。本実施の形態では、第１挿通孔２５６は、各エンドプレート２０４に２つ設けられる。各エンドプレート２０４において、２つの第１挿通孔２５６は、積層方向Ｘに対して直交する方向Ｙに間隔を開けて配置される。第１挿通孔２５６は、エンドプレート２０４に設けられた孔で構成される。第１挿通孔２５６の内壁には、締結部材５２の螺溝に対応する螺溝（図示せず）が設けられる。
【００８０】
カバー部材２０８は、段差部２５８と、第２挿通孔２６０とを有する。段差部２５８は、相対的に電池１２の上面ｎ（電池積層体２の表面）に近い位置で延在する第１部分２６２と、相対的に上面ｎから遠い位置で延在する第２部分２６４とで構成される。第２部分２６４は、カバー部材２０８の主要部、すなわち厚肉部２４８の一部である。第１部分２６２と第２部分２６４とは、厚肉部２４８の延在方向に対して交わる方向（おおよそカバー部材２０８の厚み方向Ｚ）に延在する第３部分２６６で接続されている。
【００８１】
第１部分２６２は、カバー部材２０８の端部に配置され、エンドプレート２０４の上面に当接する。第３部分２６６は、第１部分２６２における電池積層体２０２の中心側を向く端部に接続される。第１部分２６２における電池積層体２０２の外側を向く端部は開放されている。したがって、本実施の形態の段差部２５８は、階段状あるいはクランク状である。
【００８２】
第２挿通孔２６０は、締結部材５２が挿通される孔であり、第１部分２６２に配置される。第２挿通孔２６０は、電池モジュール２０１が組み立てられた状態で、カバー部材２０８の厚み方向Ｚにおいて第１挿通孔２５６と重なるように配置される。そして、締結部材５２が第２挿通孔２６０に挿通され、さらに第１挿通孔２５６に挿通されて、第１挿通孔２５６に螺合される。これにより、電池積層体２０２とカバー部材８とが固定される。
【００８３】
本実施の形態に係る電池モジュール２０１によっても、電池積層体２０２の膨張に起因して電池積層体２０２とカバー部材８との固定が不十分になることを抑制することができる。このため、電池モジュール２０１の信頼性の低下を抑制することができる。また、カバー部材２０８は、電池積層体２０２の膨張による電池積層体２０２とカバー部材２０８との固定位置の変位に対して、第３部分２６６の傾きの変化によって追従することができる。よって、電池積層体２０２の膨張によってカバー部材２０８にかかる応力を軽減し、カバー部材２０８の破損を抑制することができる。
【００８４】
また、段差部２５８の下段にあたる第１部分２６２に第２挿通孔２６０を設けているため、電池モジュール２０１の小型化（低背化）が可能である。また、ガスダクトの容積を確保することができる。さらに、第１部分２６２はエンドプレート２０４の上面に当接する。これにより、カバー部材２０８と電池積層体２０２との接触面積を増やすことができ、電池積層体２０２とカバー部材２０８との間の空間への塵埃等が入り込むことをより抑制することができる。
【００８５】
（実施の形態４）
実施の形態４に係る電池モジュールは、バスバープレートを備える点を除き、実施の形態１と共通の構成を有する。以下、本実施の形態に係る電池モジュールについて実施の形態１と異なる構成を中心に説明し、共通する構成については簡単に説明するか、あるいは説明を省略する。図１３は、実施の形態４に係る電池モジュールが備える電池積層体の概略構造を示す斜視図である。図１４は、バスバープレートの概略構造を示す斜視図である。
【００８６】
本実施の形態に係る電池モジュールが備える電池積層体３０２は、積層された複数の電池１２の上面ｎを覆うバスバープレート７２を有する。バスバープレート７２は、複数のバスバーが厚みされる板状部材であり、例えば絶縁性を有する樹脂からなる。バスバープレート７２は、実施の形態１における各セパレータ１４の電池１２の上面ｎを覆う壁部１４ｂが一体となった構造に相当する。
【００８７】
バスバープレート７２は、出力端子２２に対応する位置に、出力端子２２が外部に露出するよう開口部３２６を有する。また、電池１２の弁部２４に対応する位置に、弁部２４が外部に露出するよう開口部３２８を有する。開口部３２８の周端部には、カバー部材８の側に突出する第１囲繞部３３０が設けられる。また、バスバープレート７２は、電池モジュールが組み立てられた状態で、カバー部材８側に突出してカバー部材８を支持する支持部３５４を有する。
【００８８】
本実施の形態では、支持部３５４は、開口部３２６における積層方向Ｘに対して直交する方向Ｙの両端部に設けられている。開口部３２６を挟んで並ぶ一対の支持部３５４は、バスバーの設置位置を規定している。バスバーは、一対の支持部３５４の間に配置される。また、電池積層体３０２の外側寄りの支持部３５４は、電池モジュールが組み立てられた状態で、カバー部材８の電池積層体３０２側を向く表面（図５で示される裏面８ａ）に沿って延在して当該表面に当接する第１屈曲部３６８を有する。第１屈曲部３６８は、支持部５４の先端に設けられる。
【００８９】
また、バスバープレート７２は、締結部材５２が挿通される第１挿通孔３５６を有する。本実施の形態では、積層方向Ｘの両端部に第１挿通孔３５６が設けられている。第１挿通孔３５６は、各端部に２つ設けられる。各端部において、２つの第１挿通孔３５６は、積層方向Ｘに対して直交する方向Ｙに間隔を開けて配置される。第１挿通孔３５６は、バスバープレート７２の主表面に設けられる孔（図示せず）と、この孔の周端部からカバー部材８の側に突出する凸部３７０とで構成される。第１挿通孔３５６の内壁には、締結部材５２の螺溝に対応する螺溝（図示せず）が設けられる。第１挿通孔３５６は、電池１２の積層方向Ｘから見て出力端子２２と弁部２４との間に配置される。
【００９０】
本実施の形態に係る電池モジュールは、実施の形態１と同一のカバー部材８（図５参照）を備える。カバー部材８は、バスバープレート７２上に積層される。この状態で、電池積層体３０２とカバー部材８との積層方向Ｚにおいて第１挿通孔３５６と第２挿通孔６０とが重なり合う。そして、締結部材５２が第２挿通孔６０に挿通され、さらに第１挿通孔３５６に挿通されて、第１挿通孔３５６に螺合される。これにより、電池積層体３０２とカバー部材８とが固定される。
【００９１】
本実施の形態に係る電池モジュールによっても、実施の形態１と同様の効果を奏することができる。また、バスバープレート７２を備えることで、隣り合う電池１２間あるいは電池１２とエンドプレート４との間の沿面距離をより確実に確保することができる。
【００９２】
（実施の形態５）
実施の形態５に係る電池モジュールは、カバー部材の形状が異なる点を除き、実施の形態１と共通の構成を有する。以下、本実施の形態に係る電池モジュールについて実施の形態１と異なる構成を中心に説明し、共通する構成については簡単に説明するか、あるいは説明を省略する。図１５は、実施の形態５に係る電池モジュールの一部の概略構造を示す断面図である。図１５では、第１挿通孔５６及び第２挿通孔４６０を通り、積層方向Ｘに対して直交する方向Ｙに延在する断面を図示している。また、図１５では、電池１２の内部構造の図示を省略している。
【００９３】
本実施の形態に係る電池モジュール４０１は、実施の形態１に係る電池モジュール１と同一の電池積層体２を備える。また、電池モジュール４０１が備えるカバー部材４０８は、支持部５４が有する第１屈曲部６８の先端面６８ａに沿って延在して、先端面６８ａに当接する第２屈曲部７４を有する。第２屈曲部７４は、カバー部材４０８の端部が電池積層体２側に折り曲がった部分である。カバー部材４０８のその他の部分は、実施の形態１のカバー部材８と同一の構造である。
【００９４】
より詳細に説明すると、第１屈曲部６８は、カバー部材４０８の電池積層体２側を向く裏面４０８ａに沿って延在して、裏面８ａに平行な表面６８ｂが裏面８ａに当接する。第１屈曲部６８の先端面６８ａは、表面６８ｂにおける電池積層体２の外側を向く端部から積層方向Ｚに延在する。第２屈曲部７４は、先端面６８ａに沿って延在し、先端面６８ａに当接する。これにより、カバー部材４０８と電池積層体２との接触面積をより増やすことができ、電池積層体２とカバー部材４０８との間の空間への塵埃等が入り込むことをより抑制することができる。なお、本実施の形態に係る電池モジュール４０１は、その他の効果についても実施の形態１と同様に奏することができる。
【００９５】
本発明は、上述した各実施の形態に限定されるものではなく、各実施の形態を組み合わせたり、当業者の知識に基づいて各種の設計変更などのさらなる変形を加えたりすることも可能であり、そのように組み合わせられ、もしくはさらなる変形が加えられた実施の形態も本発明の範囲に含まれる。上述した各実施の形態同士の組み合わせ、及び上述した各実施の形態への変形の追加によって生じる新たな実施の形態は、組み合わされる実施の形態、及び変形それぞれの効果をあわせもつ。
【００９６】
上述した実施の形態１では第１囲繞部３０が設けられ、実施の形態２では第１囲繞部３０と第２囲繞部２４４とが設けられているが、第２囲繞部２４４のみが設けられた場合でも、収容空間４０へのガスの流入を抑制することができる。また、第１囲繞部３０及び第２囲繞部２４４がともに設けられない場合でも、凹部３４，２３４を破裂させることで、凹部３４，２３４を破裂させない場合に比べれば収容空間４０へのガスの流入を抑制することができる。
【００９７】
凹部３４，２３４の所定位置に切り込みを入れる等して、凹部３４，２３４内でカバー部材８，２０８の厚さを局所的に小さくすることで、カバー部材８，２０８が凹部３４，２３４においてより簡単に破裂するようにしてもよい。また、図１６に示される変形例に係る電池モジュール３００のように、凹部３３４すなわち薄肉部３４６は、カバー部材３０８の表面に設けられる切り込みによって構成されてもよい。例えば、切り込みからなる凹部３３４は、電池１２とカバー部材３０８の積層方向から見て、弁部２４の周囲を囲うように配置される。弁部２４から放出されたガスが空間４２に溜まると、弁部２４と対向する厚肉部３４８が当該ガスにより押圧される。そして、空間４２の圧力が所定値を超えると、カバー部材３０８は凹部３３４において破裂する。これにより、凹部３３４で囲われた厚肉部３４８が切り離され、カバー部材３０８における弁部２４と対向する位置に開口が形成される。空間４２に溜まったガスは、この開口から放出される。
【００９８】
上述した実施の形態１の電池積層体２は、セパレータ１４に第１挿通孔５６を有する。また、実施の形態３の電池積層体２０２は、エンドプレート２０４に第１挿通孔２５６を有する。また、実施の形態４の電池積層体３０２は、バスバープレート７２に第１挿通孔３５６を有する。しかしながら、これらの構造に限定されず、第１挿通孔は、電池積層体の他の部分に設けられてもよい。また、実施の形態１，３の電池積層体２，２０２は、セパレータ１４に支持部５４を有する。また、実施の形態４の電池積層体３０２は、バスバープレート７２に支持部３５４を有する。しかしながら、これらの構造に限定されず、支持部は、電池積層体の他の部分に設けられてもよい。
【００９９】
上述した各実施の形態では、電池１２は角形電池であるが、カバー部材に薄肉部を設ける構成において電池１２の形状は特に限定されず、円筒状等であってもよい。また、電池積層体２，２０２，３０２が備える電池１２の数も特に限定されない。また、外装缶１８は、シュリンクチューブ等の絶縁シートで被覆されてもよい。
【０１００】
以上の構成要素の任意の組合せ、本発明の表現を方法、装置、システムなどの間で変換したものもまた、本発明の態様として有効である。
【符号の説明】
【０１０１】
１，２００，２０１，３００，４０１  電池モジュール、  ２，２０２，３０２  電池積層体、  ８，２０８，３０８，４０８  カバー部材、  １２  電池、  ２４  弁部、  ２８  開口部、  ３０  第１囲繞部、  ３４，２３４，３３４  凹部、  ４０  収容空間、  ４６，２４６，３４６  薄肉部、  ４８，２４８，３４８、厚肉部、  ２４４  第２囲繞部、  ５２  締結部材、  ５４，３５４  支持部、  ５６，２５６，３５６  第１挿通孔、  ５８，２５８  段差部、  ６０，２６０，４６０  第２挿通孔、  ６２，２６２  第１部分、  ６４，２６４  第２部分、  ６８，３６８  第１屈曲部、  ６８ａ  先端面、  ７４  第２屈曲部。
【図１】
2018012224.tif 000003
【図２】
2018012224.tif 000004
【図３】
2018012224.tif 000005
【図４】
2018012224.tif 000006
【図５】
2018012224.tif 000007
【図６】
2018012224.tif 000008
【図７】
2018012224.tif 000009
【図８】
2018012224.tif 000010
【図９】
2018012224.tif 000011
【図１０】
2018012224.tif 000012
【図１１】
2018012224.tif 000013
【図１２】
2018012224.tif 000014
【図１３】
2018012224.tif 000015
【図１４】
2018012224.tif 000016
【図１５】
2018012224.tif 000017
【図１６】
2018012224.tif 000018
【国際調査報告】
2018012224.tif 000019
2018012224.tif 000020
2018012224.tif 000021
2018012224.tif 000022